(57)【要約】特にスポーツ靴である靴のソール（１）に関するものであり、このソール（１）は、長手方向（Ｌ）の大きさ、およびそれに垂直な垂直方向（Ｖ）の大きさを有し、いくつかの凹部（２）がソール（１）に導入されており、それらの凹部（２）は、長手方向（Ｌ）に垂直かつ垂直方向（Ｖ）に垂直な横断方向（Ｑ）に広がるとともに、少なくとも一部はソール（１）に貫通している。所定の所望通りにソールのスプリング作用に影響を及ぼすために、本発明によれば、ソール（１）に外力が作用していないときには長手方向（Ｌ）よりも垂直方向（Ｖ）に大きい第１グループの凹部（２’）が設けられるとともに、ソール（１）に外力が作用していないときには長手方向（Ｌ）よりも垂直方向（Ｖ）に小さい第２グループの凹部（２”）が設けられており、少なくともセクションごとに長手方向（Ｌ）に互いに隣接して少なくとも１列（３，４）の凹部（２’，２”）が配置されており、第２グループの凹部（２”）は、第１グループの２つの凹部（２’）の間に配置されている。【選択図】図２
2021522913.tif 000002
【特許請求の範囲】
【請求項１】
靴、特にスポーツ靴のソール（１）であって、前記ソール（１）は、長手方向（Ｌ）の大きさ、および前記長手方向に垂直な垂直方向（Ｖ）の大きさを有し、複数の凹部（２）が前記ソール（１）に導入されており、前記凹部（２）は、前記長手方向（Ｌ）に垂直かつ前記垂直方向（Ｖ）に垂直な横断方向（Ｑ）に広がるとともに、少なくとも一部は前記ソール（１）に貫通している、ソールにおいて、
前記ソール（１）に外力が作用していないときには前記長手方向（Ｌ）よりも前記垂直方向（Ｖ）に大きい第１グループの凹部（２’）が設けられていることと、
前記ソール（１）に外力が作用していないときには前記長手方向（Ｌ）よりも前記垂直方向（Ｖ）に小さい第２グループの凹部（２”）が設けられていること、を特徴とし、
少なくともセクションごとに前記長手方向（Ｌ）に互いに隣接して少なくとも１列（３，４）の凹部（２’，２”）が配置されており、前記第２グループの凹部（２”）は、前記第１グループの２つの凹部（２’）の間に配置されている
ことを特徴とするソール。
【請求項２】
少なくともセクションごとに、上列（３）の凹部（２’，２”）と下列（４）の凹部（２’，２”）は、前記垂直方向（Ｖ）に互いに上下に配置される
請求項１に記載のソール。
【請求項３】
前記２つの列（３，４）は、前記第１グループの凹部（２’）が前記第２グループの凹部（２”）の垂直方向上方に位置するように、互いに対して配置される
請求項２に記載のソール。
【請求項４】
前記凹部（２）は、少なくとも一部は、前記横断方向（Ｑ）に完全に前記ソール（１）を貫通している
請求項１ないし３のいずれかに記載のソール。
【請求項５】
前記凹部（２）は、直線に沿って延在する
請求項１ないし４のいずれかに記載のソール。
【請求項６】
前記ソール（１）に外力が作用していないときに、凹部（２）の第１の方向（Ｒ１）の最大寸法（Ｇ）は、前記第１の方向に垂直な第２の方向（Ｒ２）の前記凹部（２）の最大寸法（Ｋ）の少なくとも１５０％、好ましくは少なくとも１８０％である
請求項１ないし５のいずれかに記載のソール。
【請求項７】
前記凹部（２）は、前記横断方向（Ｑ）から見たときに、数字の８の形状の周囲輪郭を有する
請求項６に記載のソール。
【請求項８】
前記凹部（２）は、中央領域に、前記第２の方向（Ｒ２）の前記最大寸法（Ｋ）の最大で９０％の、好ましくは最大で８０％の、最小の広がり（ｋ）の括れ（５）を有する
請求項６または７に記載のソール。
【請求項９】
前記最大寸法（Ｇ）は、８ｍｍ〜１８ｍｍの間であり、好ましくは１０ｍｍ〜１５ｍｍの間である
請求項６ないし８のいずれかに記載のソール。
【請求項１０】
前記凹部（２）の間に残っている前記ソール（１）の材料の壁厚（ｔ）は、少なくともセクションごとに略一定である
請求項１ないし９のいずれかに記載のソール。
【請求項１１】
前記壁厚（ｔ）は、少なくともセクションごとに、前記壁厚（ｔ）の平均値の８０％〜１２０％の間の範囲内にある
請求項１０に記載のソール。
【請求項１２】
前記ソールは、ポリウレタン材料で、熱可塑性ポリウレタン（ＴＰＵ）もしくは熱可塑性エラストマ（ＴＰＥ）で構成されるか、またはこの材料を含む
請求項１ないし１１のいずれかに記載のソール。
【請求項１３】
前記ソール（１）の前記材料は、発泡させたものである
請求項１２に記載のソール。
【請求項１４】
前記ソール（１）の材料は、０．２０〜０．５０ｇ／ｃｍ3の間の密度を有する
請求項１ないし１３のいずれかに記載のソール。
【請求項１５】
前記ソール（１）の材料は、３０〜５０の間のアスカーＣ硬度を有する
請求項１ないし１４のいずれかに記載のソール。
【請求項１６】
前記ソールは、ミッドソールであるか、またはミッドソールを含む
請求項１ないし１５のいずれかに記載のソール。
【請求項１７】
前記ミッドソールの下にアウトソール（６）が配置される
請求項１６に記載のソール。
【請求項１８】
前記凹部（２）は、前記長手方向（Ｌ）に、前記ソール（１）の全長の少なくとも３３％にわたって配置される
請求項１ないし１７のいずれかに記載のソール。
【請求項１９】
前記凹部（２）は、前記ソール（１）の少なくとも中足部領域および後足部領域に配置される
請求項１ないし１８のいずれかに記載のソール。
【発明の詳細な説明】
【技術分野】
【０００１】
本発明は、特にスポーツ靴である靴のソールに関するものであり、このソールは、長手方向の大きさ、およびそれに垂直な垂直方向の大きさを有し、いくつかの凹部がソールに導入されており、それらの凹部は、長手方向に垂直かつ垂直方向に垂直な横断方向に広がるとともに、少なくとも一部はソールに貫通している。
【背景技術】
【０００２】
スポーツ靴の場合に、ソールの幾何学的設計によって、特定の所望のスプリング作用をソールに付与することが試みられている。これは、ソールが、靴の着用者の体重を受けたときに、垂直方向に所望の変形挙動を示すことを、特に付与される力と垂直方向の歪みとの間の特定の特性曲線を示すことを意味する。
【０００３】
冒頭で述べたタイプのソールは、特許文献１で知られている。ソール本体には、この場合は横断方向に、複数の凹部が設けられており、これらは、ソールを横からすなわち横断方向に見たときに、円形に形成されている。凹部は、様々に異なる直径で形成されており、この場合、より小さい直径の凹部は、より大きい直径の２つの凹部の間に配置されている。このような凹部によって、ソールのスプリング作用または緩衝作用に影響を及ぼすことができる。
【先行技術文献】
【特許文献】
【０００４】
【特許文献１】米国特許第２９８３０５６号明細書
【発明の概要】
【発明が解決しようとする課題】
【０００５】
本発明は、所定の所望通りに向上させるようにソールのスプリング作用および緩衝作用に影響を及ぼすことが可能となるように、冒頭で述べたタイプの靴のソールをさらに改良することを目的とする。
【課題を解決するための手段】
【０００６】
本発明によるこの目的の解決策は、（ソールに外力が作用していないときには）長手方向よりも垂直方向に大きい第１グループの凹部が設けられていることと、（ソールに外力が作用していないときには）長手方向よりも垂直方向に小さい第２グループの凹部が設けられていること、を特徴とし、この場合、少なくともセクションごとに長手方向に互いに隣接して少なくとも１列の凹部が配置されており、第２グループの凹部は、第１グループの２つの凹部の間に配置されている。
【０００７】
この場合、少なくともセクションごとに、上列の凹部と下列の凹部を、垂直方向に互いに上下に配置することができる。この場合、この２つの列は、第１グループの凹部が第２グループの凹部の垂直方向上方に位置するように、互いに対して配置されることが好ましい。
【０００８】
凹部は、好ましくは、少なくとも一部は、横断方向に完全にソールを貫通している。
【０００９】
この場合、凹部は、好ましくは直線に沿って延在するので、直線状または線形状に構成される。
【００１０】
この場合、ソールに外力が作用していないときに、好ましくは、凹部の第１の方向の最大寸法は、第１の方向に垂直な第２の方向の凹部の最大寸法の少なくとも１５０％、好ましくは少なくとも１８０％である。この場合、凹部は、横断方向から見たときに、数字の８の形状の周囲輪郭を有すると、特に好ましい。この場合、凹部は、中央領域に、好ましくは、第２の方向の最大寸法の最大で９０％の、好ましくは最大で８０％の、最小の広がりの括れを有する。
【００１１】
この場合、最大寸法は、好ましくは８ｍｍ〜１８ｍｍの間であり、特に好ましくは１０ｍｍ〜１５ｍｍの間である。
【００１２】
凹部の間に残っているソールの材料の壁厚は、好ましくは、少なくともセクションごとに略一定である。この場合において、壁厚は、少なくともセクションごとに、壁厚の平均値（壁厚の平均値は、この場合、ソールの側面の所与の規定領域における隣接する凹部の間のそれぞれの壁厚にわたって計算される算術平均であると理解される）の８０％〜１２０％の間の範囲内にあると、好ましい。
【００１３】
ソールは、好ましくはポリウレタン材料で、熱可塑性ポリウレタン（ＴＰＵ）もしくは熱可塑性エラストマ（ＴＰＥ）で構成されるか、またはこの材料を少なくとも含む。この場合、ソールの材料は、好ましくは発泡させたものである。
【００１４】
ソールの材料は、好ましくは、０．２０〜０．５０ｇ／ｃｍ3の間の密度を有する。それは、好ましくは、３０〜５０の間のアスカーＣ硬度を有する。
【００１５】
ソールは、ミッドソールとして構成することができる。この場合、ミッドソールの下にアウトソールを配置することが可能である。
【００１６】
凹部は、好ましくは、長手方向に、ソールの全長の少なくとも３３％にわたって配置される。それらは、好ましくは、ソールの少なくとも中足部領域および後足部領域に配置される。
【発明の効果】
【００１７】
ソールの提案される構成によって、簡単な方法で、ソールのスプリング特性および緩衝特性または硬度の制御に影響を及ぼすことが可能となる。凹部の構成によって、ソールは、このソールを備えた靴の着用者の体重を受けたときに、所望の撓みを実現することが可能である。
【００１８】
本発明は、いわゆる「メカニカル・メタマテリアル」を使用することに基づくものであり、その場合、ソールの特定のスプリング作用または緩衝作用を実現するために、様々に異なるサイズの開口（知られているのは、この場合、主に断面が円形または楕円形の凹部）の様々な列が、ソール内にあるか、またはソール内に導入される。これにより、スプリング特性または緩衝特性が所望の特性曲線に従う「工学的緩衝」が可能となる。
【００１９】
靴の着用者の体重によって生じる変形力が付与されると、その結果、特別なスプリング特性または緩衝特性を実現できるように、セルが特別な形態でつぶれる。
【００２０】
この点において、構造自体が相関系を形成し、個々の材料セクションが相互に依存するので、いわば、ソール構造の「プログラム可能な折れまたはつぶれ」が実現する。
【００２１】
提案される構造の利点は、「負の剛性」につながる可能性があり、すなわち、ソールが垂直方向にわずかに圧縮されると、ソールは、規定されたようにつぶれる。また、上述のように、ソールを、一方で十分な弾性率を有するとともに他方で変形力の結果としての変形エネルギーを吸収するように構成することも可能である。
【００２２】
図面に、本発明の例示的な実施形態を示している。
【図面の簡単な説明】
【００２３】
【図１】図１は、スポーツ靴の、ミッドソールおよびアウトソールを含むソールを示している。
【図２】図２は、ソールの長手方向に垂直かつ垂直方向に垂直な横断方向から見た、図１によるセクション「Ｘ」をより詳細に示している。
【図３】図３は、ソール内の凹部を、そのジオメトリの詳細と共に示している。
【発明を実施するための形態】
【００２４】
図１に、ソール１を示しており、これは、（このソールを備えた靴の長手軸に対応する）長手方向Ｌおよび垂直方向Ｖ（垂直方向Ｖは、目的通りに使用されるときの靴またはソールが地面に立っているときの方向を指す）に広がっている。さらに、ソール１は、長手方向Ｌと垂直方向Ｖの両方に垂直である横断方向Ｑに広がっている。
【００２５】
ソール１は、この場合、ミッドソールとして構成されており、その上側には、シューアッパー（図示せず）が周知の方法で装着される。このソールの下側には、アウトソール６が装着される。
【００２６】
ソール１には、凹部２が組み込まれている。好ましくは、これらの凹部は、ソール１の全幅にわたって、横断方向Ｑに延在している。凹部２の構成および配置についての詳細を、図２および３に示している。この目的で、図２は、図１による「Ｘ」の詳細を示しており、図３は、単独の凹部２の好ましい実施形態の幾何学的構成を示している。
【００２７】
図１と組み合わせて図２に示すように、凹部２の２つの列３および４が、ソール１に導入されている。この場合、２つのグループの凹部２を採用している。
【００２８】
第１グループの凹部２’は、ソール１に外力が作用していないときに、凹部２’は長手方向Ｌよりも垂直方向Ｖに大きいように構成されている。次に、第２グループの凹部２”は、やはりソール１に外力が作用していないときに、長手方向Ｌよりも垂直方向Ｖに小さいように構成されている。図２に示すように、この場合、それぞれの列３、４において、長手方向Ｌに、凹部２’と２”は互いに隣接して配置されており、これにより、第１グループの２つの凹部２’の間に、第２グループの凹部２”が配置されている。
【００２９】
個々の凹部２’、２”は、それぞれ、横断方向Ｑから見たときに「８」の形状を有するように構成されている。この目的で、特に図３を参照する。
【００３０】
これによれば、それぞれの凹部２’、２”は、第１の方向Ｒ１において（好ましくは、１０ｍｍ〜１５ｍｍの間である）最大寸法Ｇを有し、第１の方向Ｒ１に垂直な第２の方向Ｒ２では、凹部２’、２”の最大寸法をＫで示している。寸法Ｇは、好ましくは、寸法Ｋの少なくとも１５０％（さらに、特に好ましくは、少なくとも１８０％）である。
【００３１】
凹部２’、２”は、第１の方向Ｒ１の長さに沿った中央領域において、括れ５（これにより「８」の形状の構成となる）を有し、この位置において、凹部２’、２”は、最小の広がりｋを有する。この最小の広がりｋは、好ましくは、寸法Ｋの最大で９０％、特に好ましくは最大で８０％である。
【００３２】
隣接する凹部２’、２”の間に得られる残りの壁厚ｔについても言及しておかなければならない。これは、図２において、様々な位置に示されている。（図２に示す領域のような）選択された領域におけるそれぞれの壁厚ｔにわたる（算術）平均値を計算した場合に、壁厚ｔは大部分が略一定に維持されると、好ましい。具体的には、これは、選択された領域のいずれの位置でも壁厚ｔが平均壁厚ｔの８０％以上かつ１２０％以下であるように、定量化することができる。
【００３３】
提案される構成によって、靴のソールが特別なスプリング作用または緩衝作用を有することを実現でき、これにより、特に靴の着用者の体重を受けると、ソールは、凹部による結果として所定のつぶれを生じ、これにより快適な着用感が得られる。
【符号の説明】
【００３４】
１    ソール
２    凹部
２’  第１グループの凹部
２”  第２グループの凹部
３    凹部の列
４    凹部の列
５    括れ
６    アウトソール
Ｌ    長手方向
Ｖ    垂直方向
Ｑ    横断方向
Ｒ１  第１の方向
Ｒ２  第２の方向
Ｇ    凹部の第１の方向の最大寸法
Ｋ    凹部の第２の方向の最大寸法
ｋ    最小の広がり
ｔ    壁厚
【図１】
2021522913.tif 000003
【図２】
2021522913.tif 000004
【図３】
2021522913.tif 000005
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
靴、特にスポーツ靴のソール（１）であって、前記ソール（１）は、長手方向（Ｌ）の大きさ、および前記長手方向に垂直な垂直方向（Ｖ）の大きさを有し、複数の凹部（２）が前記ソール（１）に導入されており、前記凹部（２）は、前記長手方向（Ｌ）に垂直かつ前記垂直方向（Ｖ）に垂直な横断方向（Ｑ）に広がるとともに、少なくとも一部は前記ソール（１）に貫通している、ソールにおいて、
前記ソール（１）に外力が作用していないときには前記長手方向（Ｌ）よりも前記垂直方向（Ｖ）に大きい第１グループの凹部（２’）が設けられていることと、
前記ソール（１）に外力が作用していないときには前記長手方向（Ｌ）よりも前記垂直方向（Ｖ）に小さい第２グループの凹部（２”）が設けられていること、を特徴とし、
少なくともセクションごとに前記長手方向（Ｌ）に互いに隣接して少なくとも１列（３，４）の凹部（２’，２”）が配置されており、前記第２グループの凹部（２”）は、前記第１グループの２つの凹部（２’）の間に配置され、
少なくともセクションごとに、上列（３）の凹部（２’，２”）と下列（４）の凹部（２’，２”）は、前記垂直方向（Ｖ）に互いに上下に配置され、
前記２つの列（３，４）は、前記第１グループの凹部（２’）が前記第２グループの凹部（２”）の垂直方向上方に位置するように、互いに対して配置され、
前記ソール（１）に外力が作用していないときに、凹部（２）の第１の方向（Ｒ１）の最大寸法（Ｇ）は、前記第１の方向に垂直な第２の方向（Ｒ２）の前記凹部（２）の最大寸法（Ｋ）の少なくとも１５０％であり、前記凹部（２）は、前記横断方向（Ｑ）から見たときに、数字の８の形状の周囲輪郭を有する
ことを特徴とするソール。
【請求項２】
前記凹部（２）は、少なくとも一部は、前記横断方向（Ｑ）に完全に前記ソール（１）を貫通している
請求項１に記載のソール。
【請求項３】
前記凹部（２）は、直線に沿って延在する
請求項１または２に記載のソール。
【請求項４】
前記ソール（１）に外力が作用していないときに、凹部（２）の第１の方向（Ｒ１）の最大寸法（Ｇ）は、前記第１の方向に垂直な第２の方向（Ｒ２）の前記凹部（２）の最大寸法（Ｋ）の少なくとも１８０％である
請求項１ないし３のいずれかに記載のソール。
【請求項５】
前記凹部（２）は、中央領域に、前記第２の方向（Ｒ２）の前記最大寸法（Ｋ）の最大で９０％の、好ましくは最大で８０％の、最小の広がり（ｋ）の括れ（５）を有する
請求項１ないし４に記載のソール。
【請求項６】
前記最大寸法（Ｇ）は、８ｍｍ〜１８ｍｍの間であり、好ましくは１０ｍｍ〜１５ｍｍの間である
請求項１ないし５のいずれかに記載のソール。
【請求項７】
前記凹部（２）の間に残っている前記ソール（１）の材料の壁厚（ｔ）は、少なくともセクションごとに略一定である
請求項１ないし６のいずれかに記載のソール。
【請求項８】
前記壁厚（ｔ）は、少なくともセクションごとに、前記壁厚（ｔ）の平均値の８０％〜１２０％の間の範囲内にある
請求項７に記載のソール。
【請求項９】
前記ソールは、ポリウレタン材料で、熱可塑性ポリウレタン（ＴＰＵ）もしくは熱可塑性エラストマ（ＴＰＥ）で構成されるか、またはこの材料を含む
請求項１ないし８のいずれかに記載のソール。
【請求項１０】
前記ソール（１）の前記材料は、発泡させたものである
請求項９に記載のソール。
【請求項１１】
前記ソール（１）の材料は、０．２０〜０．５０ｇ／ｃｍ3の間の密度を有する
請求項１ないし１０のいずれかに記載のソール。
【請求項１２】
前記ソール（１）の材料は、３０〜５０の間のアスカーＣ硬度を有する
請求項１ないし１１のいずれかに記載のソール。
【請求項１３】
前記ソールは、ミッドソールであるか、またはミッドソールを含む
請求項１ないし１２のいずれかに記載のソール。
【請求項１４】
前記ミッドソールの下にアウトソール（６）が配置される
請求項１３に記載のソール。
【請求項１５】
前記凹部（２）は、前記長手方向（Ｌ）に、前記ソール（１）の全長の少なくとも３３％にわたって配置される
請求項１ないし１４のいずれかに記載のソール。
【請求項１６】
前記凹部（２）は、前記ソール（１）の少なくとも中足部領域および後足部領域に配置される
請求項１ないし１５のいずれかに記載のソール。
【手続補正２】
【補正対象書類名】明細書
【補正対象項目名】全文
【補正方法】変更
【補正の内容】
【発明の詳細な説明】
【技術分野】
【０００１】
本発明は、特にスポーツ靴である靴のソールに関するものであり、このソールは、長手方向の大きさ、およびそれに垂直な垂直方向の大きさを有し、いくつかの凹部がソールに導入されており、それらの凹部は、長手方向に垂直かつ垂直方向に垂直な横断方向に広がるとともに、少なくとも一部はソールに貫通している。ソールに外力が作用していないときには長手方向よりも垂直方向に大きい第１グループの凹部が設けられるとともに、ソールに外力が作用していないときには長手方向よりも垂直方向に小さい第２グループの凹部が設けられており、この場合、少なくともセクションごとに長手方向に互いに隣接して少なくとも１列の凹部が配置されており、第２グループの凹部は、第１グループの２つの凹部の間に配置されている。この場合、少なくともセクションごとに、上列の凹部と下列の凹部は、垂直方向に互いに上下に配置されている。
【背景技術】
【０００２】
スポーツ靴の場合に、ソールの幾何学的設計によって、特定の所望のスプリング作用をソールに付与することが試みられている。これは、ソールが、靴の着用者の体重を受けたときに、垂直方向に所望の変形挙動を示すことを、特に付与される力と垂直方向の歪みとの間の特定の特性曲線を示すことを意味する。
【０００３】
冒頭で述べたタイプのソールは、特許文献１で知られている。同様の解決策および他の解決策は、特許文献２、特許文献３、特許文献４、および特許文献５に示されている。
【０００４】
他のソールは、特許文献５で知られている。ソール本体には、この場合は横断方向に、複数の凹部が設けられており、これらは、ソールを横からすなわち横断方向に見たときに、円形に形成されている。凹部は、様々に異なる直径で形成されており、この場合、より小さい直径の凹部は、より大きい直径の２つの凹部の間に配置されている。このような凹部によって、ソールのスプリング作用または緩衝作用に影響を及ぼすことができる。
【先行技術文献】
【特許文献】
【０００５】
【特許文献１】独国実用新案第２０２００５０１７０４３号明細書
【特許文献２】米国特許出願公開第２００８／０１２７５１３号明細書
【特許文献３】独国特許出願公開第３４４０２０６号明細書
【特許文献４】米国特許出願公開第２００９／００６４５４２号明細書
【特許文献５】米国特許第２９８３０５６号明細書
【発明の概要】
【発明が解決しようとする課題】
【０００６】
本発明は、所定の所望通りに向上させるようにソールのスプリング作用および緩衝作用に影響を及ぼすことが可能となるように、冒頭で述べたタイプの靴のソールをさらに改良することを目的とする。
【課題を解決するための手段】
【０００７】
本発明によるこの目的の解決策は、第１グループの凹部が第２グループの凹部の垂直方向上方に位置するように、２つの列が互いに対して配置されることが好ましい。を特徴とし、この場合、ソールに外力が作用していないときに、凹部の第１の方向の最大寸法は、第１の方向に垂直な第２の方向の凹部の最大寸法の少なくとも１５０％であり、この場合、凹部は、横断方向から見たときに、数字の８の形状の周囲輪郭を有する。
【０００８】
凹部は、好ましくは、少なくとも一部は、横断方向に完全にソールを貫通している。
【０００９】
この場合、凹部は、好ましくは直線に沿って延在するので、直線状または線形状に構成される。
【００１０】
この場合、ソールに外力が作用していないときに、好ましくは、凹部の第１の方向の最大寸法は、第１の方向に垂直な第２の方向の凹部の最大寸法の少なくとも１８０％である。この場合、凹部は、中央領域に、好ましくは、第２の方向の最大寸法の最大で９０％の、好ましくは最大で８０％の、最小の広がりの括れを有する。
【００１１】
この場合、最大寸法は、好ましくは８ｍｍ〜１８ｍｍの間であり、特に好ましくは１０ｍｍ〜１５ｍｍの間である。
【００１２】
凹部の間に残っているソールの材料の壁厚は、好ましくは、少なくともセクションごとに略一定である。この場合において、壁厚は、少なくともセクションごとに、壁厚の平均値（壁厚の平均値は、この場合、ソールの側面の所与の規定領域における隣接する凹部の間のそれぞれの壁厚にわたって計算される算術平均であると理解される）の８０％〜１２０％の間の範囲内にあると、好ましい。
【００１３】
ソールは、好ましくはポリウレタン材料で、熱可塑性ポリウレタン（ＴＰＵ）もしくは熱可塑性エラストマ（ＴＰＥ）で構成されるか、またはこの材料を少なくとも含む。この場合、ソールの材料は、好ましくは発泡させたものである。
【００１４】
ソールの材料は、好ましくは、０．２０〜０．５０ｇ／ｃｍ3の間の密度を有する。それは、好ましくは、３０〜５０の間のアスカーＣ硬度を有する。
【００１５】
ソールは、ミッドソールとして構成することができる。この場合、ミッドソールの下にアウトソールを配置することが可能である。
【００１６】
凹部は、好ましくは、長手方向に、ソールの全長の少なくとも３３％にわたって配置される。それらは、好ましくは、ソールの少なくとも中足部領域および後足部領域に配置される。
【発明の効果】
【００１７】
ソールの提案される構成によって、簡単な方法で、ソールのスプリング特性および緩衝特性または硬度の制御に影響を及ぼすことが可能となる。凹部の構成によって、ソールは、このソールを備えた靴の着用者の体重を受けたときに、所望の撓みを実現することが可能である。
【００１８】
本発明は、いわゆる「メカニカル・メタマテリアル」を使用することに基づくものであり、その場合、ソールの特定のスプリング作用または緩衝作用を実現するために、様々に異なるサイズの開口（知られているのは、この場合、主に断面が円形または楕円形の凹部）の様々な列が、ソール内にあるか、またはソール内に導入される。これにより、スプリング特性または緩衝特性が所望の特性曲線に従う「工学的緩衝」が可能となる。
【００１９】
靴の着用者の体重によって生じる変形力が付与されると、その結果、特別なスプリング特性または緩衝特性を実現できるように、セルが特別な形態でつぶれる。
【００２０】
この点において、構造自体が相関系を形成し、個々の材料セクションが相互に依存するので、いわば、ソール構造の「プログラム可能な折れまたはつぶれ」が実現する。
【００２１】
提案される構造の利点は、「負の剛性」につながる可能性があり、すなわち、ソールが垂直方向にわずかに圧縮されると、ソールは、規定されたようにつぶれる。また、上述のように、ソールを、一方で十分な弾性率を有するとともに他方で変形力の結果としての変形エネルギーを吸収するように構成することも可能である。
【００２２】
図面に、本発明の例示的な実施形態を示している。
【図面の簡単な説明】
【００２３】
【図１】図１は、スポーツ靴の、ミッドソールおよびアウトソールを含むソールを示している。
【図２】図２は、ソールの長手方向に垂直かつ垂直方向に垂直な横断方向から見た、図１によるセクション「Ｘ」をより詳細に示している。
【図３】図３は、ソール内の凹部を、そのジオメトリの詳細と共に示している。
【発明を実施するための形態】
【００２４】
図１に、ソール１を示しており、これは、（このソールを備えた靴の長手軸に対応する）長手方向Ｌおよび垂直方向Ｖ（垂直方向Ｖは、目的通りに使用されるときの靴またはソールが地面に立っているときの方向を指す）に広がっている。さらに、ソール１は、長手方向Ｌと垂直方向Ｖの両方に垂直である横断方向Ｑに広がっている。
【００２５】
ソール１は、この場合、ミッドソールとして構成されており、その上側には、シューアッパー（図示せず）が周知の方法で装着される。このソールの下側には、アウトソール６が装着される。
【００２６】
ソール１には、凹部２が組み込まれている。好ましくは、これらの凹部は、ソール１の全幅にわたって、横断方向Ｑに延在している。凹部２の構成および配置についての詳細を、図２および３に示している。この目的で、図２は、図１による「Ｘ」の詳細を示しており、図３は、単独の凹部２の好ましい実施形態の幾何学的構成を示している。
【００２７】
図１と組み合わせて図２に示すように、凹部２の２つの列３および４が、ソール１に導入されている。この場合、２つのグループの凹部２を採用している。
【００２８】
第１グループの凹部２’は、ソール１に外力が作用していないときに、凹部２’は長手方向Ｌよりも垂直方向Ｖに大きいように構成されている。次に、第２グループの凹部２”は、やはりソール１に外力が作用していないときに、長手方向Ｌよりも垂直方向Ｖに小さいように構成されている。図２に示すように、この場合、それぞれの列３、４において、長手方向Ｌに、凹部２’と２”は互いに隣接して配置されており、これにより、第１グループの２つの凹部２’の間に、第２グループの凹部２”が配置されている。
【００２９】
個々の凹部２’、２”は、それぞれ、横断方向Ｑから見たときに「８」の形状を有するように構成されている。この目的で、特に図３を参照する。
【００３０】
これによれば、それぞれの凹部２’、２”は、第１の方向Ｒ１において（好ましくは、１０ｍｍ〜１５ｍｍの間である）最大寸法Ｇを有し、第１の方向Ｒ１に垂直な第２の方向Ｒ２では、凹部２’、２”の最大寸法をＫで示している。寸法Ｇは、好ましくは、寸法Ｋの少なくとも１５０％（さらに、特に好ましくは、少なくとも１８０％）である。
【００３１】
凹部２’、２”は、第１の方向Ｒ１の長さに沿った中央領域において、括れ５（これにより「８」の形状の構成となる）を有し、この位置において、凹部２’、２”は、最小の広がりｋを有する。この最小の広がりｋは、好ましくは、寸法Ｋの最大で９０％、特に好ましくは最大で８０％である。
【００３２】
隣接する凹部２’、２”の間に得られる残りの壁厚ｔについても言及しておかなければならない。これは、図２において、様々な位置に示されている。（図２に示す領域のような）選択された領域におけるそれぞれの壁厚ｔにわたる（算術）平均値を計算した場合に、壁厚ｔは大部分が略一定に維持されると、好ましい。具体的には、これは、選択された領域のいずれの位置でも壁厚ｔが平均壁厚ｔの８０％以上かつ１２０％以下であるように、定量化することができる。
【００３３】
提案される構成によって、靴のソールが特別なスプリング作用または緩衝作用を有することを実現でき、これにより、特に靴の着用者の体重を受けると、ソールは、凹部による結果として所定のつぶれを生じ、これにより快適な着用感が得られる。
【符号の説明】
【００３４】
１    ソール
２    凹部
２’  第１グループの凹部
２”  第２グループの凹部
３    凹部の列
４    凹部の列
５    括れ
６    アウトソール
Ｌ    長手方向
Ｖ    垂直方向
Ｑ    横断方向
Ｒ１  第１の方向
Ｒ２  第２の方向
Ｇ    凹部の第１の方向の最大寸法
Ｋ    凹部の第２の方向の最大寸法
ｋ    最小の広がり
ｔ    壁厚
【国際調査報告】
2021522913.tif 000006
2021522913.tif 000007
2021522913.tif 000008
2021522913.tif 000009
2021522913.tif 000010